(57)【要約】【課題】手で持って使用できるとともに使用時の取扱い性に優れる照明装置を提供する。【解決手段】前面部に反射体４が設けられた横長箱形状の本体ケース２に、反射体４の反射面と対向する光源２３，２６を支持するとともに、調光ユニット３１を反射体４の裏側に位置させて内蔵する。本体ケース２に、その後面に開放する凹部５を、本体ケース２の長手方向中央部でかつ下面に寄った位置に形成する。本体ケース２を後面から見て凹部５の長さ範囲に位置する棒状のグリップ１１を本体ケース２の下面に突設する。調光ユニット３１の出力を可変させるフェーダ摘み３５を、グリップ１１を握った手の指によって前記長手方向にスライド操作可能に凹部５に設ける。グリップ１１を握った手の指によって操作可能な電源スイッチを、フェーダ摘み３５に対して前記長手方向に並べて凹部５に設ける。【選択図】      図２
2006221857.tif 000002
【特許請求の範囲】
【請求項１】
横長の箱形状をなすとともに前面部に反射体が設けられた本体ケースであって、このケースの後面に開放する凹部が前記本体ケースの長手方向中央部でかつ下面に寄った位置に形成された本体ケースと；
この本体ケースの下面に突設され前記本体ケースを後面から見て前記凹部の長さ範囲に位置する棒状のグリップと；
前記反射体の反射面と対向して前記本体ケースに支持された光源と；
前記反射体の裏側に位置して前記本体ケースに内蔵された調光ユニットと；
前記凹部に前記グリップを握った手の指によって前記長手方向にスライド操作可能に設けられて前記調光ユニットの出力を可変させるフェーダ摘みと；
このフェーダ摘みに対して前記長手方向に並べて前記凹部に前記グリップを握った手の指によって操作可能に設けられた電源スイッチと；
を具備することを特徴とした照明装置。
【請求項２】
前記光源を覆う閉じ位置と前記光源からの光の反射する最大開き位置との間を任意に移動して静止できる可動反射板を、前記本体ケースの上面及び下面の内の少なくとも一方に取付けたことを特徴とする請求項１に記載の照明装置。
【請求項３】
前記光源は、バルブを一体に折り曲げてなるランプ先端部を有した片口金型の第１、第２の蛍光ランプであり、前記第１の蛍光ランプを前記本体ケースの長手方向一端部に設けた第１のランプソケットに支持するとともに、前記第２の蛍光ランプを前記本体ケースの長手方向他端部に設けた第２のランプソケットに支持して、前記第１、第２の蛍光ランプをそれらのランプ先端部同士を接近させて前記本体ケースの前面部に並設したことを特徴とする請求項１又は２に記載の照明装置。
【発明の詳細な説明】
【技術分野】
【０００１】
本発明は、例えばスタジオ外の撮影（ロケーション撮影）やスタジオでの演出空間照明などに好適に使用できる照明装置に関する。
【背景技術】
【０００２】
演出空間照明にはフラッドライトが用いられている。フラッドライトの性質としては、光の指向範囲が広く、柔らかで、均等な照明ができることが求められている。従来の照明装置として、内面に反射鏡が固定された前面開口の箱状をなす灯体に、反射鏡の前側に位置させて光源部を収納すると共に、灯体の前面開口縁にバンドアーを取付けてなる照明装置が知られている（例えば、特許文献１参照。）。
【０００３】
バンドアーは、灯体の前面開口の縁に回動可能に取付けられた上下の矩形羽根と、前記前面開口の縁に回動可能に取付けられた左右の先細羽根とからなる。これらの矩形羽根と先細羽根とを開閉することにより、バンドアーの先端開口面積を調整して照射範囲を可変できる。
【０００４】
そして、この特許文献１の照明装置は、その灯体の外側面に回動可能に取付けられたコの字形を呈するアームを、舞台やスタジオなどにおける所望の箇所に固定して、演出空間照明を行うものである。
【特許文献１】特開2000−195304号公報（段落0001、0007−0008、図１-図２）
【発明の開示】
【発明が解決しようとする課題】
【０００５】
特許文献１の照明装置は、スタジオ等の撮影場所に吊り下げて使用するのに適したものであり、これは手で持って使用するには適していない。スタジオ内での撮影においても、所望とする演出に応じて、様々な照明装置を用いて空間照明を行うことが求められている。その一手法として手で持って自由に動かすことができる携帯型の照明装置を例えば補助的に用いて、所望とする演出空間照明をすることは好ましいが、このような照明装置は従来提供されていない。
【０００６】
又、スタジオ外の撮影では、特許文献１のような吊り下げ型の照明装置は使用できないので、一般的にはスタンドで支持できる可搬型の照明装置が用いられている。しかし、これも、使用時にはスタンドに固定されるものであって、手で持って使用するには適していない。又、スタジオ外の撮影でも様々な演出空間照明を行う手法として、手で持って自由に動かすことができる携帯型の照明装置を補助的に用いることが望まれている。
【０００７】
そして、携帯型の照明装置を開発するに当たり、その取扱い上の利便性を確保する必要がある。
【０００８】
本発明の目的は、手で持って使用できるとともに使用時の取扱い性に優れる照明装置を提供することにある。
【課題を解決するための手段】
【０００９】
前記課題を解決するために、請求項１の発明は、横長の箱形状をなすとともに前面部に反射体が設けられた本体ケースであって、このケースの後面に開放する凹部が前記本体ケースの長手方向中央部でかつ下面に寄った位置に形成された本体ケースと；この本体ケースの下面に突設され前記本体ケースを後面から見て前記凹部の長さ範囲に位置する棒状のグリップと；前記反射体の反射面と対向して前記本体ケースに支持された光源と；前記反射体の裏側に位置して前記本体ケースに内蔵された調光ユニットと；前記凹部に前記グリップを握った手の指によって前記長手方向にスライド操作可能に設けられて前記調光ユニットの出力を可変させるフェーダ摘みと；このフェーダ摘みに対して前記長手方向に並べて前記凹部に前記グリップを握った手の指によって操作可能に設けられた電源スイッチと；を具備している。
【００１０】
この発明で、本体ケースの長手方向中央部とは、グリップを使用者が手で握った際に照明装置全体の重量バランスを適度に確保できる位置、例えば本体ケースを長手方向に三等分した場合の中央の領域を指している。この発明で、凹部は、本体ケースの長さ等に応じて前記中央の領域内で適当な長さに設定されるとともに、この凹部は本体ケースの後面だけに開放されていても良いが、この後面から本体ケースの下面にわたって開放していることが操作上好ましい。この場合、本体ケースの下面の開放部は、凹部の奥行き全体であっても、なくても良い。この発明で、グリップは、本体ケースに対して着脱できても、外せないように固定されていても良い。この発明で、電源スイッチは、フェーダ摘みの右側に並べて設けても、左側に並べて設けても良い。
【００１１】
請求項１の発明では、反射体、光源、及び調光ユニットが取付けられた本体ケースの下面に棒状のグリップを突設したので、このグリップを握って照明装置全体を手軽に持ち運ぶことが可能であり、携帯型の照明装置として機能できる。この場合、グリップが本体ケースの長手方向中央部下面に突設されているので、左右方向の重量バランスが良く、取扱い易い。
【００１２】
そして、この照明装置は、本体ケースに内蔵された調光ユニットの出力を本体ケース外に配置されたフェーダ摘みの操作で可変することにより、光源が投光する明かりを変化させて所望とする照明効果を得ることができる。フェーダ摘み及び電源スイッチはグリップを握った手の指で操作される。この場合、本体ケースの後面に開放する凹部にフェーダ摘み及び電源スイッチを配置したので、これらとグリップとの距離を、凹部がない構成と比較して近づけることができる。これにより、反射体を境に光源と調光ユニットとが前後方向に並んでいて本体ケースが厚くなっているにも拘らず、フェーダ摘み及び電源スイッチの操作性が良くなり、取扱い性を向上できる。
【００１３】
更に、フェーダ摘み及び電源スイッチは、凹部に配置されたことで本体ケースの外面から突出しないようになる。つまり、フェーダ摘み及び電源スイッチ全体が、本体ケースの外面から突出しないか、突出してもその突出寸法が小さい状態となる。これにより、使用中などにフェーダ摘み及び電源スイッチに他の物が接触する可能性を小さくできる。したがって、調光された所望の明かりが不用意に変化したり、電源が切れたりすることが防止されるので、操作のやり直しを余儀なくされることがなくなり、取扱い性を向上できる。
【００１４】
又、請求項２の発明は、前記光源を覆う閉じ位置と前記光源からの光の反射する最大開き位置との間を任意に移動して静止できる可動反射板を、前記本体ケースの上面及び下面の内の少なくとも一方に取付けている。
【００１５】
この発明において、可動反射板を一方にだけ設ける場合には、グリップから遠い方に位置する本体ケースの上面に設けることが、この一方の可動反射板を最大に開いた場合にグリップとの干渉を生じない点で好ましい。又、可動反射板は本体ケースに対して着脱できても、できなくても良い。
【００１６】
請求項２の発明では、既述のように調光ユニットが光源の後側に配置されているので、この調光ユニットを内蔵した本体ケースが、このケースの上面又は下面に取付けられた可動反射板を最大開き位置に開く際の妨げとなることがなく、可動反射板の可動範囲を大きく確保できる。そして、この可動反射板を任意位置に開くことにより、光源から投射された光の一部を可動反射板で反射して、演出空間の明るさを変化させることができる。更に、可動反射板を閉じることにより、この可動反射板で光源を保護できる。
【００１７】
又、請求項３の発明は、前記光源は、バルブを一体に折り曲げてなるランプ先端部を有した片口金型の第１、第２の蛍光ランプであり、前記第１の蛍光ランプを前記本体ケースの長手方向一端部に設けた第１のランプソケットに支持するとともに、前記第２の蛍光ランプを前記本体ケースの長手方向他端部に設けた第２のランプソケットに支持して、前記第１、第２の蛍光ランプをそれらのランプ先端部同士を接近させて前記本体ケースの前面部に並設している。この発明で、蛍光ランプのランプ先端部は１又は複数である。
【００１８】
請求項３の発明で、第１、第２の蛍光ランプのランプ先端部は、バルブを一体に折り曲げて形成されているので、このランプ先端部でも発光でき、相対的にランプ先端部が暗部となることがない。このため、並べられた２本のバルブ要素のランプ先端部同士をこれらのバルブより細いガラス管で連通させた構成の蛍光ランプを光源として用いる場合に比較して、ランプ先端部での明るさが明るい。こうしたランプ先端部を互いに接近させて第１、第２の蛍光ランプを本体ケースの前面部に配置することで、各部の明るさに大きな差がない第１、第２の蛍光ランプは、本体ケースの前面部にその長手方向一端部から他端部に渡る実質的な面状光源を呈する。このため、光の指向範囲が広く、柔らかで、均等な照明ができる演出空間照明用のフラッドライトとして機能させることができる。
【発明の効果】
【００１９】
請求項１の発明によれば、グリップを握って手で持って使用できるとともに、グリップを握った手で電源スイッチ及び調光用のフェーダ摘みを簡便に操作でき、しかも、電源スイッチ及び調光用のフェーダ摘みが不用意に誤操作されないので、使用時の取扱い性に優れる照明装置を提供できる。
【００２０】
請求項２の発明によれば、光源から投射された光の一部を可動反射板で反射する可動反射板を開くことにより、演出空間の明るさを任意に変化させることが可能であるとともに、この可動反射板を閉じて光源を保護することが可能な照明装置を提供できる。
【００２１】
請求項３の発明によれば、本体ケースの前面部にその長手方向一端部から他端部に渡る実質的な面状光源を呈して設けられる第１、第２の蛍光ランプを光源として用いたことによって、光の指向範囲が広く、柔らかで、均等な照明が可能な照明装置を提供できる。
【発明を実施するための最良の形態】
【００２２】
図１〜図６を参照して本発明の一実施形態を説明する。
【００２３】
図中符号１は本実施形態に係る携帯型の照明装置を示している。この照明装置１は、スタジオ内での撮影の際の演出空間照明はもとより、スタジオ外でのロケーション撮影の演出空間照明に好適なものである。照明装置１は、通常、使用者の身に着けて運ばれるバッテリーとともに使用者によって携帯されるが、スタジオ等の屋内において携帯しない固定照明とする場合には、スタンド上に取付けて、或いは適当な支持部に吊り下げて使用することも可能である。
【００２４】
この照明装置１は、本体ケース２と、グリップ１１と、第１のランプソケット２１と、第２のランプソケット２２と、第１の光源２３と、第２の光源２６、調光ユニット３１と、フェーダ摘み３５と、電源スイッチ３８と、上側の可動反射板４１と、下側の可動反射板４５とを備えている。
【００２５】
本体ケース２は横長の箱形状をしている。本体ケース２は、軽量化のために合成樹脂例えばポリカーボネート樹脂で形成されていて、その前面は開放されている。この本体ケース２は、片手で持って使用するのに支障のない大きさであり、例えば全長（横幅）は334mm〜354mm、縦幅は93mm〜113mm、奥行き（厚み）は76mm〜96mmである。
【００２６】
図１、図４、及び図５等に示すように本体ケース２の前面部には、この本体ケース２の長手方向両端部に位置して前方に突出するソケットカバー部３が形成されている。このため、左右のソケットカバー部３間の本体ケース前面部は後退していて（図４参照）、この後退した部分を通して上方又は下方に第１の光源２３及び第２の光源２６の光の一部が上下方向に出るようになっている。ソケットカバー部３は切り欠き３ａを有している。
【００２７】
図２に示すように本体ケース２の前面部には、左右のソケットカバー部３間に位置して反射体４が、本体ケース２の前面開口を塞ぐように固定されている。反射体４は本体ケース２の後面に向けて凸となる凹面状をなして、その表面をなす凹面は反射面となっている。
【００２８】
図２及び図６等に示すように本体ケース２の長手方向中央部でかつ下面に寄った位置には、本体ケース２の後面及び下面にわたって開放する凹部５が形成されている。凹部５は本体ケース２の長手方向に延びていて、本体ケース２を長手方向に三等分したときの中央領域を占める長さを有している。なお、凹部５の奥の壁面から突出して凹部５の開放された下面の一部又は全部を閉じる仕切り壁を本体ケース２に設けても良いが、良好な操作性を確保する観点からは、下面の少なくとも一部が開放されていて、この開放部が凹部５の後面開放部に連続していることが望ましい。
【００２９】
図４に示すように本体ケース２の下面にはねじ穴６を有した金属板７が固定されている。ねじ穴６は、好ましい例として本体ケース２を長手方向に二等分する位置に設けられている。したがって、このねじ穴６は本体ケース２を後面から見た場合に凹部５を長手方向に二等分する位置に対応して形成されている。ねじ穴６は、本体ケース２の厚み方向に関して本体ケース２の前面側よりも後面側に寄せられている。言い換えれば、ねじ穴６とソケットカバー部３の前面までの前後方向の寸法より、ねじ穴６と本体ケース２の後面までの前後方向の寸法の方が小さく、これによりねじ穴６が凹部５に近づけられている。
【００３０】
本体ケース２の下面には図４に示すように複数例えば左右一対のねじ穴８が金属板７の長手方向両側に位置して設けられている。又、本体ケース２の上面部にも、これらねじ穴８に対して上下方向に対応する位置に複数例えば一対のねじ穴（図示しない）が設けられている。なお、左右一対のねじ穴を複数も受けても良い。
【００３１】
グリップ１１は、例えば丸棒状に形成されていて、その長手方向の上端にねじ部１２が突設され、下端にねじ穴１３を有している。このグリップ１１は、ねじ部１２をねじ穴６に着脱可能に螺合することによって、本体ケース２の下面に突設されている。本体ケース２に対して上下に延びる方向に取付けられたグリップ１１は、図３に示すように本体ケース２を後面から見て凹部５の長さ方向に、その範囲内略中央に位置される。このグリップ１１は、照明装置１を使用する場合に使用者の片手で握られる。この場合、グリップ１１の既述の取付け位置により本体ケース２の前後左右に関して重量バランスが確保された状態に照明装置１を支持できる。なお、使用者がロケーション撮影などで照明装置１を持つ場合は、通常、グリップ１１より上側に本体ケース２を支持した姿勢でグリップ１１が握持されるが、この逆にグリップ１１より下側に本体ケース２を支持した姿勢でグリップ１１が握持されることもある。
【００３２】
着脱可能なグリップ１１を備えることは、照明装置１を格納する上でグリップ１１が邪魔になる場合に、本体ケース２からグリップ１１を取外して格納できる点で有利である。それだけではなく、グリップ１１が取外された本体ケース２のねじ穴６に図示しないスタンドや吊下げハンガーなどの支持部材が有したねじ部を螺合することによって、支持部材に本体ケース２を固定して使用できる点で好ましい。
【００３３】
又、図２中符号１５は必要に応じて使用されるアタッチメントであるコネクタを示している。このコネクタ１５は、長手方向一端部にねじ部１６を有し、長手方向他端部にスタンド差込部１７を有している。ねじ部１６は本体ケース２のねじ穴６及びグリップ１１のねじ穴１３に選択的に着脱可能に螺合できる。従って、この接続をした後に、スタンド差込部１７を図示しないスタンドが有した取付け穴内に嵌合することによって、照明装置１の少なくとも本体ケース２をスタンド上に支持して使用することが可能である。
【００３４】
第１のランプソケット２１は本体ケース２の長手方向一端側前面部に配置され、第２のランプソケット２２は本体ケース２の長手方向他端側前面部に配置されている。ランプソケット２１，２２は夫々ソケットカバー部３でカバーされている。これらのランプソケット２１，２２はいずれも前後方向に回動可能に本体ケース２に取付けられていると共に、図示しないバネで本体ケース２の後面方向に付勢されている。したがって、ランプ交換をする場合には図４中二点鎖線で代表して示すように前側に回動させて引き出すことが可能である。この場合、切り欠き３ａによってランプソケットとソケットカバー部３との干渉が防止される。
【００３５】
図２に示すように第１の光源２３と第２の光源２６とは反射体４の表面（反射面）と対向して本体ケース２の前面部に配設されている。
【００３６】
図１及び図５に示すように第１の光源２３には、単一の口金２４に屈曲例えば略Ｍ形状に屈曲された放電経路を形成するバルブ２５を連結してなる片口金型の蛍光ランプが使用されている。この第１の蛍光ランプ（第１の光源２３）のランプ先端部２５ａは、バルブ２５を一体に折り曲げて形成されていて、口金２４から最も遠ざかって位置している。以上の構成の第１の光源２３は、バルブ２５の直管状部分が互いに平行に並べられているので、面状光源として機能する。第１の光源２３は、その口金２４を第１のランプソケット２１に着脱可能に接続して支持されている。この支持状態でバルブ２５全体は反射体４に対向されている。
【００３７】
第２の光源２６は第１と同じである。つまり、第２の光源２６には、単一の口金２７に屈曲例えば略Ｍ形状に屈曲された放電経路を形成するバルブ２８を連結してなる片口金型の蛍光ランプが使用されている。この第２の蛍光ランプ（第２の光源２６）のランプ先端部２８ａは、バルブ２８を一体に折り曲げて形成されていて、口金２７から最も遠ざかって位置している。以上の構成の第２の光源２６は、バルブ２８の直管状部分が互いに平行に並べられているので、面状光源として機能する。第２の光源２６は、その口金２７を第２のランプソケット２２に接続して支持されていて、この支持状態でバルブ２８全体が反射体４に対向されている。
【００３８】
以上のように配置された第１の光源２３のバルブ２５と第２の光源２６のバルブ２８との各一部は、図４で代表して示すようにソケットカバー部３間において本体ケース２外に突出するように配置されている。それにより、上下方向へも光が出るようになっている。放電経路の一部をなしたランプ先端部２５ａ、２８ａは、その部分で発光することができる。そして、第１の光源２３と第２の光源２６とが既述のように本体ケース２の長手方向に並べて支持されることによって、それらのランプ先端部２５ａ、２８ａ同士は図１に示すように接近されている。これらランプ先端部２５ａ、２８ａ間のギャップは、第１の光源２３と第２の光源２６との非連続部分による明るさの低下を小さくして均等な照明ができるようにするために、ランプ交換時にランプ先端部２５ａ、２８ａ同士が競らない範囲で、できる限り小さくすることが好ましい。
【００３９】
図２に示すように調光ユニット３１は、反射体４の裏側に位置して本体ケース２に内蔵されている。調光ユニット３１は、第１の光源２３と第２の光源２６とに与える交流電圧の印加を同時に可変させて、これらの光源の明かりを変化させるものである。
【００４０】
この調光ユニット３１の出力（印加電圧）を可変させるためのフェーダ（操作ボリウム）３３が調光ユニットの下側に配置されている。このフェーダ３３は、フェーダ本体３４と、これに接続されたフェーダ摘み３５とで形成されている。フェーダ本体３４は凹部５の奥壁に沿って重ねて固定された基板３６に取付けられており、この基板３６及びフェーダ本体３４は本体ケース２の下部内側に配置されている。
【００４１】
フェーダ摘み３５は、スライド式のもので、凹部５の奥壁に設けたガイド長孔５ａを通って調光ユニット３１外から操作可能に凹部５内に配置されている。好ましい例としてフェーダ摘み３５は、その全体が凹部５から突出しないように設けられている。ガイド長孔５ａは本体ケース２及び凹部５の長手方向に延びている。これにより、フェーダ摘み３５は、図６中二点鎖線で示すように凹部５に対応してこれに近く配置されたグリップ１１を握った手の指によって長手方向にスライド操作可能に設けられている。
【００４２】
図３に示すようにフェーダ摘み３５は、その中央位置にスライド方向と直交する方向に延びる指標線３５ａを有している。本実施形態では例えば調光ユニット３１の出力変更が50％近傍となる位置にフェーダ摘み３５が配置されたとき（図３の状態）に指標線３５ａは、照明装置１を後側から見てグリップ１１の中心軸線上に位置されるようにしてある。
【００４３】
電源スイッチ３８は、調光ユニット３１を介して第１の光源２３と第２の光源２６とに対する電圧の印加と遮断を担うもので、基板３６に取付けられている。この電源スイッチ３８のシーソー式の操作部はフェーダ摘み３５に対して前記長手方向に並べて凹部５内に位置されている。この電源スイッチ３８は、グリップ１１を握った手の指によって操作可能であり、好ましい例として照明装置１を後側から見たときにフェーダ摘み３５の左隣に並べられている。これにより、グリップ１１を右手で握った際、親指の可動範囲の広い側に配置された電源スイッチ３８を容易に操作できる。
【００４４】
一方の可動反射板４１は側面視Ｌ形状をなす板金に一対の蝶番４２を取付けてなる。この可動反射板４１は、蝶番４２の一片を貫通し、かつ、工具を用いずに手回し操作ができる化粧ねじ４３を、本体ケース２の上面部の図示しないねじ穴に着脱可能にねじ込むことにより、本体ケース２に開閉可能に取付けられている。他方の可動反射板４５は、可動反射板４１と同じものであって、側面視Ｌ形状をなす板金に一対の蝶番４６を取付けてなる。この可動反射板４５は、蝶番４６の一片を貫通し、かつ、工具を用いずに手回し操作ができる化粧ねじ４７を、本体ケース２の下面部のねじ穴８に着脱可能にねじ込むことにより、本体ケース２に取付けられている。着脱可能な可動反射板４１,４５の少なくとも一方を本体ケース２から外して照明装置１を使用することによって、照明装置１の重量を減らして取扱いを容易にできる。
【００４５】
可動反射板４１,４５は、図２中二点鎖線で示す閉じ位置と、図２中実線で示す最大開き位置とわたって回動できる。閉じ位置の可動反射板４１,４５によって第１の光源２３と第２の光源２６が覆われて、これら第１の光源２３及び第２の光源２６が保護される。又、これら可動反射板４１,４５の蝶番４２，４６には、いずれもフリィクションタイプのものが採用されている。このため、可動反射板４１,４５はその蝶番４２，４６での摩擦抵抗力により、閉じ位置と最大開き位置で静止状態に保持できるだけではなく、これら閉じ位置と最大開き位置との間の任意の開き位置で静止状態に保持できる。
【００４６】
既述のように反射体４を間に置いて第１の光源２３及び第２の光源２６と調光ユニット３１とを前後方向に並べているので、調光ユニット３１の配置によって可動反射板４１,４５が大きくなることがない。なお、第１の光源２３及び第２の光源２６の上側又は下側に調光ユニット３１を配置する構成では、この調光ユニット３１に近い一方の可動反射板は、その閉じ位置で第１の光源２３及び第２の光源２６を保護できるように大きくしなければならない。これにより、使用時の重量が増えるとともに、可動反射板４１,４５を最大開き位置まで開いたときの照明装置の面積が、調光ユニット３１の配置分も加えて大きくなるので、このように重くかさばった照明装置は取り扱いが容易でない。しかし、こうした不都合は本実施形態では回避できる。
【００４７】
なお、図中符号５１は本体ケース２の上面及び下面から突出した吊具受を示している。この吊具受５１には必要に応じて図３に示す吊りロープ５２が接続される。図３には吊りロープ５２の両端部を吊具受５１に接続して、吊りロープ５２をループ状とした状態が示されており、この吊りロープ５２を図示しない支持部材に引っ掛けることで、照明装置１の落下を防止するようになっている。又、図４及び図６中符号５３は本体ケース２の下面に設けられた入力レセプタクルを示している。この入力レセプタクル５３には、使用者が携帯するバッテリーに接続された電源コードの先端のコネクタが着脱自在に差込み接続される。
【００４８】
ロケーション撮影などにおいて照明装置１は、使用者の片手でグリップ１１を握られて持ち運ばれる。この状態で、入力レセプタクル５３に電源コードを接続するとともに可動反射板４１，４５を適当な角度に開いた状態で、手の甲が立つようにグリップ１１を握った片手の親指で電源スイッチ３８をオンすることにより、第１の光源２３と第２の光源２６とを同時に点灯させて使用される。この場合、グリップ１１が本体ケース２の長手方向中央部下面に突設されているので、左右方向の重量バランスが良く、取扱い易い。
【００４９】
この使用では、第１の光源２３及び第２の光源２６から前方へ向かう直接光、反射体４で反射されて前方へ向かう反射光、及び可動反射板４１,４５で反射された前方へ向かう反射光により、演出空間照明ができる。
【００５０】
この場合、第１の光源２３のランプ先端部２５ａ及び第２の光源２６のランプ先端部２８ａがバルブ２５，２８を一体に折り曲げて形成されていて、これらのランプ先端部２５ａ、２８ａでも発光できるので、第１の光源２３及び第２の光源２６は各部の明るさに大きな差がない。そして、第１の光源２３及び第２の光源２６がそのランプ先端部２５ａ、２８ａを互いに接近させて本体ケース２の前面部に並設されているので、これら第１の光源２３及び第２の光源２６は、本体ケース２の前面部にその長手方向一端部から他端部に渡る実質的な面状光源を呈している。このため、前記演出空間照明において、光の指向範囲が広く、柔らかで、均等な照明ができる。
【００５１】
その上、前記演出空間照明においては、可動反射板４１,４５の開き加減に応じて、照明効果を調節できる。
【００５２】
更に、フェーダ摘み３５を操作して調光ユニット３１の出力を可変して、第１の光源２３及び第２の光源２６の光量を増減することにより、積極的に照明効果を調節できる。この場合、本体ケース２の後面を凹ませてなる凹部５内にフェーダ摘み３５が電源スイッチ３８とともに配置されているので、これらフェーダ摘み３５及び電源スイッチ３８とグリップ１１との距離は、凹部がない構成と比較して近づけられている。これにより、既述のように反射体４を境に第１光源２３及び第２の光源２６と調光ユニット３１とが前後方向に並んでいて本体ケース２が厚くなっているにも拘らず、フェーダ摘み３５を容易に操作できる。又、同様の理由から電源スイッチ３８も容易に操作できる。
【００５３】
しかも、グリップ１１を握った手の親指でフェーダ摘み３５を操作するが、このフェーダ摘み３５は本体ケース２の長手方向に沿ってスライド操作されるので、このフェーダ摘み３５を上下方向にスライド操作する場合に比較して、グリップ１１の握りが不安定になる恐れや、スライド方向によって速度差が出たりする恐れが抑制される。この点でもフェーダ摘み３５の操作性を向上できる。又、グリップ１１は凹部５の下側に位置されているので、このグリップ１１がフェーダ摘み３５のスライド操作の邪魔になることがない。
【００５４】
又、フェーダ摘み３５及び電源スイッチ３８は、本体ケース２の外面から突出しないように本体ケース２の凹部５に配置されているため、使用中などにフェーダ摘み３５及び電源スイッチ３８に他の物が接触することがない。これにより、調光された所望の明かりが不用意に変化したり、電源が切れたりすることが防止される。したがって、操作のやり直しを余儀なくされることがなく、取扱い性を向上できる。
【図面の簡単な説明】
【００５５】
【図１】本発明の一実施形態に係る照明装置を示す正面図。
【図２】図１の照明装置を一部切欠いて示す側面図。
【図３】図１の照明装置を示す後面図。
【図４】図１の照明装置をそのグリップ及び可動反射板を外した状態で示す下面図。
【図５】図１の照明装置を斜め前側から見て示す斜視図。
【図６】図１の照明装置を斜め後側から見て示す斜視図。
【符号の説明】
【００５６】
１…照明装置、２…本体ケース、４…反射体、５…凹部、５ａ…ガイド長孔、６…ねじ穴、１１…グリップ、１２…ねじ部、２１…第１のランプソケット、２２…第２のランプソケット、２３…第１の光源（蛍光ランプ）、２４…口金、２５…バルブ、２５ａ…ランプ先端部、２６…第２の光源（蛍光ランプ）、２７…口金、２８…バルブ、２８ａ…ランプ先端部、３１…調光ユニット、３３…フェーダ、３４…フェーダ本体、３５…フェーダ摘み、３８…電源スイッチ、４１…可動反射板、４５…可動反射板
【図１】
2006221857.tif 000003
【図２】
2006221857.tif 000004
【図３】
2006221857.tif 000005
【図４】
2006221857.tif 000006
【図５】
2006221857.tif 000007
【図６】
2006221857.tif 000008